(57)【特許請求の範囲】
【請求項１】
複数のタイヤ用ゴム部材から構成され、前記複数のゴム部材のうちの少なくとも１つの前記ゴム部材は、ゴムストリップをタイヤ周方向に沿って螺旋状に重ねて巻き付けることにより形成されるタイヤにおいて、
前記ゴムストリップの巻き付け時に、隣接する前記ゴムストリップのタイヤ幅方向の重なり量が、前記ゴムストリップの幅寸法の１／２〜１／５になるように巻き付けられ、
前記巻き付け時において、前記ゴムストリップは、幅が５〜３０ｍｍ、幅中央の厚みが０．５〜３．０ｍｍ、幅両側の厚みが０．０５〜０．２ｍｍの略三日月形の断面形状を有することを特徴とするタイヤ。
【請求項２】
前記ゴムストリップの巻き付け開始位置と巻き付け終了位置の位置ずれが、前記タイヤ周方向にて０〜５ｍｍの範囲になるように形成されていることを特徴とする請求項１に記載のタイヤ。
【請求項３】
複数のタイヤ用ゴム部材から構成され、前記複数のゴム部材のうちの少なくとも１つの前記ゴム部材は、ゴムストリップをタイヤ周方向に沿って螺旋状に重ねて巻き付けることにより形成されるタイヤにおいて、
前記ゴムストリップの巻き付け時に、隣接する前記ゴムストリップのタイヤ幅方向の重なり量が、前記ゴムストリップの幅寸法の１／２〜１／５になるように巻き付けられ、
前記複数のゴム部材のうち、トレッド部を構成する前記ゴム部材は、第１ゴムストリップが巻き付けられる下層部と、第２ゴムストリップが巻き付けられる上層部とにより構成されることを特徴とするタイヤ。
【請求項４】
前記第１ゴムストリップの前記巻き付け開始位置と、前記第２ゴムストリップの巻き付け開始位置の位相ずれが、前記タイヤ周方向にて１０度以上になるように構成されていることを特徴とする請求項３に記載のタイヤ。
【請求項５】
複数のタイヤ用ゴム部材から構成されるタイヤを製造する方法であって、
前記複数のゴム部材のうちの少なくとも１つの前記ゴム部材を、ゴムストリップをタイヤ周方向に沿って螺旋状に重ねて巻き付けることにより形成される巻き付けステップを有し、前記巻き付けステップにおいて、 隣接する前記ゴムストリップのタイヤ幅方向の重なり量が、前記ゴムストリップの幅寸法の１／２〜１／５になるように巻き付けられ、
前記巻き付けステップにおいて、前記ゴムストリップを所定の巻き付け体に対して供給しながら前記巻き付け体を回転することにより巻き付けを行い、かつ、前記供給する速度を制御することにより、前記ゴムストリップの断面形状を巻き付け途中で変更可能にすることで所望の形状の前記ゴム部材を得るようにしたことを特徴とするタイヤ製造方法。
【請求項６】
複数のタイヤ用ゴム部材から構成されるタイヤを製造する方法であって、
前記複数のゴム部材のうちの少なくとも１つの前記ゴム部材を、ゴムストリップをタイヤ周方向に沿って螺旋状に重ねて巻き付けることにより形成される巻き付けステップを有し、前記巻き付けステップにおいて、 隣接する前記ゴムストリップのタイヤ幅方向の重なり量が、前記ゴムストリップの幅寸法の１／２〜１／５になるように巻き付けられ、
前記ゴムストリップは、幅が５〜３０ｍｍ、幅中央の厚みが０．５〜３．０ｍｍ、幅両側の厚みが０．０５〜０．２ｍｍの略三日月形の断面形状を有することを特徴とする請求項５に記載のタイヤ製造方法。
【請求項７】
複数のタイヤ用ゴム部材から構成されるタイヤを製造する方法であって、
前記複数のゴム部材のうちの少なくとも１つの前記ゴム部材を、ゴムストリップをタイヤ周方向に沿って螺旋状に重ねて巻き付けることにより形成される巻き付けステップを有し、前記巻き付けステップにおいて、 隣接する前記ゴムストリップのタイヤ幅方向の重なり量が、前記ゴムストリップの幅寸法の１／２〜１／５になるように巻き付けられ、
前記複数のゴム部材のうち、トレッド部を構成する前記ゴム部材は、第１ゴムストリップが巻き付けられる下層部と、第２ゴムストリップが巻き付けられる上層部とを有するように巻き付けられることを特徴とする請求項５に記載のタイヤ製造方法。
【請求項８】
前記第１ゴムストリップの巻き付け開始位置と、前記第２ゴムストリップの巻き付け開始位置の位相ずれが、前記タイヤ周方向にて１０度以上になるように巻き付けられることを特徴とする請求項７に記載のタイヤ製造方法。
【請求項９】
前記ゴムストリップは、幅が５〜３０ｍｍ、幅中央の厚みが０．５〜３．０ｍｍ、幅両側の厚みが０．０５〜０．２ｍｍの略三日月形の断面形状を有することを特徴とする請求項３又は４に記載のタイヤ。
【請求項１０】
前記ゴムストリップは、幅が５〜３０ｍｍ、幅中央の厚みが０．５〜３．０ｍｍ、幅両側の厚みが０．０５〜０．２ｍｍの略三日月形の断面形状を有することを特徴とする請求項７又は８に記載のタイヤ製造方法。
【発明の詳細な説明】
【０００１】
【発明の属する技術分野】
本発明は、複数のタイヤ用ゴム部材から構成されるタイヤ及びこのタイヤの製造方法に関するものである。
【０００２】
【従来の技術】
図１０は、従来技術に係るタイヤの一部の断面形状を示している。タイヤ１は、複数のタイヤ用ゴム部材から構成されており、代表的には、トレッド部２、サイドウォール部３、リムストリップ部４、インナーライナー部５はゴム部材により形成されている。これら各部を構成するゴム部材を成形するために、それぞれのゴム部材の断面形状に見合った口金を介してゴム押出機から連続して押し出し成形し、その後、定寸にカットすることにより目的とするゴム部材を得ていた。
【０００３】
しかしながら、近年においてはタイヤ形状に対する精度要求が厳しくなると共に、連続して押出機により押し出して定寸にカットすることによる部材の歪みや収縮といった問題から、新たなタイヤ製造方法が考えられるようになってきた。この製造方法は、ゴムストリップをタイヤ周方向に沿って螺旋状に重ねて巻きつけることにより、ゴム部材を形成するものであり、例えば、特開２０００−９４５４２号公報や特開平９−２９８５６号公報に開示されているタイヤの製造方法がある。
【０００４】
【発明が解決しようとする課題】
しかしながら、これら公知技術におけるゴムストリップの幅方向の重なり量は、ゴムストリップの幅寸法の９０％以上となっている（例えば、特開２０００−９４５４２号公報の図２、 図３、特開平９−２９８５６号公報の図２）。このように、重なり量を大きくすると、ゴム部材全体の断面形状に凹凸が目立ちやすくなり、所望の断面形状にできない可能性がある。ゴム部材の断面形状の良否は、タイヤの重量バランス・均一性を損ねてしまい、ひいてはタイヤの走行性能に好ましくない影響を与える。
【０００５】
本発明は上記実情に鑑みてなされたものであり、その課題は、重量バランス・均一性を改善したタイヤ及びタイヤ製造方法を提供することである。
【０００６】
【課題を解決するための手段】
＜タイヤに係る課題解決手段＞
上記課題を解決するため本発明に係るタイヤは、
複数のタイヤ用ゴム部材から構成され、前記複数のゴム部材のうちの少なくとも１つの前記ゴム部材は、ゴムストリップをタイヤ周方向に沿って螺旋状に重ねて巻き付けることにより形成されるタイヤにおいて、
前記ゴムストリップのタイヤ幅方向の重なり量が、前記ゴムストリップの幅寸法の１／２〜１／５になるように巻き付けられていることを特徴とするものである。
【０００７】
この構成によるタイヤは、少なくとも１つのゴム部材が、ゴムストリップをタイヤ周方向に沿って螺旋状に重ねて巻き付けることにより形成されている。そして、ゴムストリップのタイヤ幅方向の重なり量が、前記ゴムストリップの幅寸法の１／２〜１／５になるように巻き付けられている。重なり量を１／２よりも大きくすると、重ねた部分の凹凸が目立つようになり、所望の断面形状を得にくくなる。重なり量を１／２よりも小さくすることにより、滑らかな断面形状を得やすくなる。また、重なり量を１／５よりも小さくすると、ゴムストリップがばらけやすくなる。そこで、重なり量は、１／２〜１／５に設定するのがよい。これにより、重量バランス・均一性を改善したタイヤを提供することができる。
【０００８】
本発明の好適な実施形態として、 前記ゴムストリップは、幅が５〜３０ｍｍ、幅中央の厚みが０．５〜３．０ｍｍ、幅両側の厚みが０．０５〜０．２ｍｍの略三日月形の断面形状を有するものがあげられる。
【０００９】
かかる形状にすれば、螺旋状に重ねて巻きつけることにより、所望の断面形状のゴム部材を精度良く得ることができる。三日月形とすることで、重ねた部分が凹凸形状になりにくいので、滑らかな形状が得やすい。また、三日月形とすることにより、ゴムストリップの供給速度を制御することにより、断面形状を操作しやすくなる。これにより、所望の断面形状を得ることができる。
【００１０】
本発明の別の好適な実施形態として、 前記ゴムストリップの巻き付け開始位置と巻き付け終了位置の位置ずれが、前記タイヤ周方向にて０〜５ｍｍの範囲になるように形成されているものがあげられる。
【００１１】
この構成によると、巻き付け開始位置と終了位置は、タイヤ周方向で見ると、ほぼ一致した範囲内に収まっている。これにより、かかるゴム部材について重量ばらつきを少なくすることができ、重量バランス・均一性を改善したタイヤを提供することができる。
【００１２】
本発明の更に別の好適な実施形態として、 前記複数のゴム部材のうち、トレッド部を構成する前記ゴム部材は、第１ゴムストリップが巻き付けられる下層部と、第２ゴムストリップが巻き付けられる上層部とにより構成されるものがあげられる。
トレッド部は、路面と接触する部分が多く、 要求される性能・品質についても厳しいものがある。かかる点に鑑みて、路面と接触する部分とそうでない部分を別の材質で構成したほうが好ましいことがある。そこで、トレッド部については、第１ゴムストリップの巻き付けによる下層部と、第２ゴムストリップ（第１ゴムストリップとは、種類が異なる。 ）の巻き付けによる上層部とにより構成することにより、トレッド部に要求される性能に合致したゴム部材を形成することができる。
【００１３】
本発明の更に別の好適な実施形態として、 前記第１ゴムストリップの前記巻き付け開始位置と、前記第２ゴムストリップの巻き付け開始位置の位相ずれが、前記タイヤ周方向にて１０度以上になるように構成されているものがあげられる。
【００１４】
下層部と上層部の巻き付け開始位置がタイヤ周方向から見て、同じような位置にあると、重量バランス等がくずれる可能性がある。そこで、上記好適実施形態のように巻き付け開始位置の位相ずれ（図８にθで示される）が１０度以上になるように構成する。これにより、所望の重量バランス等のタイヤ性能を維持することができる。
【００１５】
＜タイヤ製造方法に係る課題解決手段＞
本発明の課題を解決するため本発明に係るタイヤ製造方法は、
複数のタイヤ用ゴム部材から構成されるタイヤを製造する方法であって、
前記複数のゴム部材のうちの少なくとも１つの前記ゴム部材を、ゴムストリップをタイヤ周方向に沿って螺旋状に重ねて巻き付けることにより形成される巻き付けステップを有し、
前記巻き付けステップにおいて、 前記ゴムストリップのタイヤ幅方向の重なり量が、前記ゴムストリップの幅寸法の１／２〜１／５になるように巻き付けられることを特徴とするものである。
【００１６】
この製造方法により製造されたタイヤは、少なくとも１つのゴム部材が、ゴムストリップをタイヤ周方向に沿って螺旋状に重ねて巻き付けることにより形成されている。そして、ゴムストリップのタイヤ幅方向の重なり量が、前記ゴムストリップの幅寸法の１／２〜１／５になるように巻き付けられている。重なり量を１／２よりも大きくすると、重ねた部分の凹凸が目立つようになり、所望の断面形状を得にくくなる。重なり量を１／２よりも小さくすることにより、滑らかな断面形状を得やすくなる。また、重なり量を１／５よりも小さくすると、ゴムストリップがばらけやすくなる。そこで、重なり量は、１／２〜１／５に設定するのがよい。これにより、重量バランス・均一性を改善したタイヤ製造方法を提供することができる。
【００１７】
本発明の好適な実施形態として、 前記巻き付けステップにおいて、前記ゴムストリップを所定の巻き付け体に対して供給しながら前記巻き付け体を回転することにより巻き付けを行い、かつ、前記供給する速度を制御することにより、前記ゴムストリップの断面形状を巻き付け途中で変更可能にすることで所望の形状の前記ゴム部材を得るようにしたものがあげられる。
タイヤの各部を構成するゴム部材の断面形状はさまざまなものがある。また、タイヤの種類が異なるとゴム部材の断面形状も異なってくる。上記構成のように、ゴムストリップの断面形状を巻き付け途中で変更可能にすることにより、かかる断面形状の違いにも容易に対応することができ、精度よく所望の形状を得ることができる。
【００１８】
本発明の別の好適な実施形態として、前記ゴムストリップは、幅が５〜３０ｍｍ、幅中央の厚みが０．５〜３．０ｍｍ、幅両側の厚みが０．０５〜０．２ｍｍの略三日月形の断面形状を有するものがあげられる。
かかる形状にすれば、螺旋状に重ねて巻きつけることにより、所望の断面形状のゴム部材を精度良く得ることができる。三日月形とすることで、重ねた部分が凹凸形状になりにくいので、滑らかな形状が得やすい。また、三日月形とすることにより、ゴムストリップの供給速度を制御することにより、断面形状を操作しやすくなる。これにより、所望の断面形状を得ることができる。
【００１９】
本発明の更に別の好適な実施形態として、 前記複数のゴム部材のうち、トレッド部を構成する前記ゴム部材は、第１ゴムストリップが巻き付けられる下層部と、第２ゴムストリップが巻き付けられる上層部とを有するように巻き付けられるものがあげられる。
すでに説明したように、トレッド部については、第１ゴムストリップの巻き付けによる下層部と、第２ゴムストリップ（第１ゴムストリップとは、種類が異なる。 ）の巻き付けによる上層部とにより構成することにより、トレッド部に要求される性能に合致したゴム部材を形成することができる。
【００２０】
本発明の更に別の好適な実施形態として、 前記第１ゴムストリップの巻き付け開始位置と、前記第２ゴムストリップの巻き付け開始位置の位相ずれが、前記タイヤ周方向にて１０度以上になるように巻き付けられるものがあげられる。
【００２１】
下層部と上層部の巻き付け開始位置がタイヤ周方向から見て、同じような位置にあると、重量バランス等がくずれる可能性がある。そこで、巻き付け開始位置の位相ずれ（図８にθで示される）が１０度以上になるように構成する。これにより、所望の重量バランス等のタイヤ性能を維持することができる。
【００２２】
【発明の実施の形態】
本発明の好適な実施形態を図面を用いて説明する。
図１は、本発明によるタイヤ（ラジアルタイヤ）の一部分の断面を示す図である。タイヤ１は、複数のタイヤ用ゴム部材から構成されており、代表的には、トレッド部２、サイドウォール部３、リムストリップ部４、インナーライナー部５がゴム部材により構成されている。
【００２３】
各部を構成するゴム部材は、ゴムストリップをタイヤ周方向に沿って螺旋状に重ねて巻き付けることにより形成される。このゴムストリップの形状は、図２に示すように断面が略三日月形であり、幅寸法Ｘ＝５〜３０ｍｍ、幅中央の厚み寸法Ｈ１＝０．５〜３．０ｍｍ、幅方向両側に厚み寸法Ｈ２＝０．０５〜２ｍｍであることが好ましい。さらに、幅寸法と幅中央の厚み寸法の関係については、幅寸法は幅中央の厚み寸法の１０倍以上であることが好ましい。
【００２４】
図３に各部のゴム部材の断面形状を示す。（ａ）はトレッド部２、（ｂ）はサイドウォール部３、（ｃ）はリムストリップ部４、（ｄ）はインナーライナー部５を示している。この図からも分かるように、ゴムストリップ６が重ねて巻き付けられている。なお、この図３は概念図として示すものであり、断面形状に対するゴムストリップ６の大きさは、実際にはもっと細かくなっており、断面形状も複雑になる。
【００２５】
サイドウォール部３は、１本のゴムストリップ６を巻き付けることにより構成される。リムストリップ部４、インナーライナー部５についても同様である。
【００２６】
トレッド部２は、特性（種類）の異なる２種類のゴムストリップ６，７を巻き付けることにより構成される。トレッド部２において、ゴムストリップ６の幅方向での巻き付け方向は矢印Ｃで示され、ゴムストリップ７の幅方向での巻き付け方向は矢印Ｄで示される。ゴムストリップ６の巻き付けが行われるのは下層部に相当し１層構造である。ゴムストリップ７の巻き付けが行われるのは上層部に相当し２層構造である。路面と接触するのは上層部であり要求される性能にも厳しいものがある。 そこで、トレッド部２については、上層部と下層部に分けて異なる種類のゴムストリップ６，７により形成するのが好ましい。例えば、下層部のゴムストリップ７についてはコストの安いものを選択することができる。
【００２７】
トレッド部２の層構造については、図３のものに限定されるものではなく、例えば図９に示すような上層部、 下層部共に１層構造としてもよい。
【００２８】
次に、ゴムストリップの巻き付け方法を図４により説明する。図５は、ゴムストリップの巻き付けを行う装置の構成を示す模式図である。ゴムストリップ６は、ゴムストリップ供給装置１１から順に押し出される。巻き付けドラム１０は、軸１０ａ回りに回転可能であり、巻き付けドラム１０を図５のＲ方向に回転させながらゴムストリップ６を供給することにより、ゴムストリップ６をタイヤ周方向に沿って巻き付けることができる。
【００２９】
図４は巻き付けドラム１０を上方から見た図であるが、矢印Ａはタイヤ周方向に相当し、矢印Ｂ方向はタイヤ幅方向（軸方向）に相当する。 ゴムストリップ６をタイヤ周方向に沿って螺旋状に巻き付ける必要がある。したがって、ゴムストリップ６を巻き付ける時には、巻き付けドラム１０を回転させるだけでなく、ゴムストリップ供給装置１１をタイヤ幅方向Ｂに沿って相対的に移動させる必要がある。そのために、ゴムストリップ供給装置１１か巻き付けドラム１０のいずれかをタイヤ幅方向に沿って移動させればよい。
【００３０】
図４の例では、ゴムストリップ６は左側から右側へと移動しながら巻き付けられる。最初の１周目（１巻目）はＭ1 、２周目はＭ2 、３周目はＭ3 ・・・ｎ−１周目はＭn-1 、ｎ周目（最終）はＭn で示される。 ここで１周目Ｍ1 とｎ周目Ｍn は、その巻き付け方向がタイヤ幅方向と直交（タイヤ周方向と平行）する方向と同じになっている。それ以外の部分は、螺旋状に巻き付けるために、巻き付け方向はタイヤ周方向に対して角度αだけ傾斜している。最初の１周目と最後のｎ周目も角度α傾斜させると、余分な部分をカットする処理が必要となるが、１周目とｎ周目をタイヤ周方向と同じ方向とすることにより、余分な部分をカットする処理が不要となる。
【００３１】
最初の１周目と最後のｎ周目については、ゴムストリップ供給装置１１をタイヤ幅方向に沿って相対移動しないように制御すれば上記のような構成にすることができる。なお、制御装置１２は、ゴムストリップ供給装置１１と巻き付けドラム１０の作動制御を行う。
【００３２】
また、図４において、巻き付け開始位置がＰS で、巻き付け終了位置がＰE で示される。そして、巻き付け開始位置ＰS と巻き付け終了位置ＰE の位置ずれΔがタイヤ周方向から見て０〜５ｍｍになるように巻き付けられる。これにより、タイヤの重量バランスを維持することができる。
【００３３】
図６は、タイヤ幅方向のゴムストリップ６ａ，６ｂの重ね方について説明する図である。隣接ずるゴムストリップ６ａ，６ｂ同士については、ゴムストリップ６の幅寸法Ｘの半分〜１／５程度が重なるようにするのが好ましい（図６（ａ）（ｂ）参照）。幅寸法の半分にすれば、重ねた場合の凹凸が目立たなくからである。また、１／５以上とするのは、これ以上重なりを小さくすると、ゴムストリップ６がばらけてしまうことがあるからである。重なり具合の制御は、制御装置１２によりゴムストリップ供給装置１１のタイヤ幅方向の相対移動速度を制御することにより行われる。幅方向に相対移動させるためには、ゴムストリップ供給装置１１か巻き付けドラム１０のいずれかを幅方向に沿って移動させればよい。
【００３４】
また、ゴムストリップ供給装置１１の供給口の幅の大きさを調整することにより、（ｃ）の６ｃに示すように幅寸法Ｘを最大７０％まで落とすとことができる。さらに、巻き付けドラム１０の回転速度を調整することで、（ｄ）の６ｄに示すように高さ寸法を最大１／２まで落とすことができる。つまり、巻き付けドラム１０の回転速度を速くすると、ゴムストリップ６に対してテンションをかけることができ、これにより高さ寸法を変えることができる。すなわち、ゴムストリップを供給する速度を制御することにより、ゴムストリップ６の断面形状を変えることができる。
【００３５】
巻き付け開始位置と終了位置のゴムストリップのカットについては、専用のカッターを設けてもよいが、ゴムストリップ６に大きなテンションをかけることによりカットすることもできる。
【００３６】
以上のように、隣接するゴムストリップ同士の重なり具合や、断面形状を変化させたりすることにより、ゴム部材の形状を精度良く製造することができる。
【００３７】
図７は、各ゴム部材をゴムストリップの巻き付けにより形成した場合の巻き付け開始位置の好ましい配置を示す図である。 図７において、トレッド部２の巻き付け開始位置がＴ１、サイドウォール部３の巻き付け開始位置がＴ２、リムストリップ部４の巻き付け開始位置がＴ３、インナーライナー部５の巻き付け開始位置がＴ４で示されている。これらＴ１，Ｔ２，Ｔ３，Ｔ４の位置を同じ位置に集中すると、バランス特性が悪化する可能性がある。 そこで各開始位置のタイヤ周方向の位相ずれ（図７にθで示す）を１０度以上とするのが好ましい。図例では、各開始位置の位相ずれをθ＝９０度と均等にしている。
また、トレッド部２については、２種類のゴムストリップ６，７を用いているから、下層部のゴムストリップ６を巻き付けるときの巻き付け開始位置と、上層部のゴムストリップ７を巻き付けるときの巻き付け開始位置についても、同じように開始位置のタイヤ周方向の位相ずれを１０度以上とするのが好ましい。
【００３８】
なお、巻き付け終了位置は巻き付け開始位置と０〜５ｍｍのずれであるから、巻き付け開始位置についての位相ずれを１０度以上にすれば、巻き付け終了位置についても同様に位相ずれが１０度以上となる。
【００３９】
本発明による構成（ゴムストリップによりゴム部材を形成するもの）と、ゴムストリップを用いない従来タイヤ（図１０に示す構成）との比較を表１に示す。なお、本発明品では、トレッド部２のみをゴムストリップにより構成したもので比較した。数値は、タイヤ１００本の平均値であり、数値は指数換算している。
【００４０】
＜表１＞
0004868561.tif 000002
表１において、従来技術を１００とした場合の比較である。数値が小さいということは、本発明のほうが各項目に関して改善されていることを示している。表１において、ＲＦＶ（ラジアル・フォース・バリエーション）とは、タイヤの縦（半径）方向の反力の変動のことであり、詳しくは、コーナリング試験機上でタイヤに荷重をかけ、半径一定の状態に保持してタイヤを変動させた場合の、荷重の変動量である。
【００４１】
ＬＦＶ（ラテラル・フォース・バリエーション  ）とは、タイヤの横（幅）方向の反力の変動量である。ＲＲＯ（ラジアル・ラン・アウト）とは、タイヤの縦（半径）方向の振れであり、タイヤの断面形状の大きさが部分的に異なったり、トレッドの厚さが部分的に異なることが原因で発生する。
【００４２】
Ｄ−ＵＢ（ダイナミック・アンバランス）とは、タイヤの動的な不均一を表し、Ｓ−ＵＢ（スタティック・アンバランス）とは、タイヤの静的な不均一を表すものである。
【００４３】
これらの結果からも、本発明によるタイヤは性能が著しく良くなり、自動車の操縦安定性が著しく改善されることが良く理解できる。
【図面の簡単な説明】
【図１】タイヤの構成を示す断面図
【図２】ゴムストリップの構成を示す図
【図３】各部のゴム部材の構成を示す図
【図４】ゴムストリップの巻き付け方法を説明する図
【図５】ゴムストリップの巻き付けを行う装置の構成を示す模式図
【図６】タイヤ幅方向から見たゴムストリップの重ね方を説明する図
【図７】各ゴム部材の巻き付け開始位置の好ましい位置を示す図
【図８】ゴム部材の巻き付け開始位置を説明する図
【図９】トレッド部の別実施形態を説明する図
【図１０】従来技術に係るタイヤの構成を示す断面図
【符号の説明】
１      タイヤ
２      トレッド部
３      サイドウォール部
４      リムストリップ部
５      インナーライナー部
６，７    ゴムストリップ
１０    巻き付けドラム
１１    ゴムストリップ供給装置
１２    制御装置
【図１】
0004868561.tif 000003
【図２】
0004868561.tif 000004
【図３】
0004868561.tif 000005
【図４】
0004868561.tif 000006
【図５】
0004868561.tif 000007
【図６】
0004868561.tif 000008
【図７】
0004868561.tif 000009
【図８】
0004868561.tif 000010
【図９】
0004868561.tif 000011
【図１０】
0004868561.tif 000012